(57)【特許請求の範囲】
【請求項１】
処理槽と該処理槽内に配設したフィードウェル間に掛け渡し、浮遊するスカムを吸い込み排出するよう傾動可能に配設したスカムスキマにおいて、フィードウェル内に浮遊するスカムと、処理槽内に浮遊するスカムとを個別的に吸い込み、排出するように、それぞれのスカムの排出経路をスカムスキマ内に分離して形成したことを特徴とするスカムスキマ。
【発明の詳細な説明】
【０００１】
【発明の属する技術分野】
本発明は、スカムスキマに関し、特に、中央部にフィードウェルを配設した円形の処理槽において、フィードウェル内、処理槽内の双方の水面に浮遊するスカムを、簡単な装置で、かつ効率よく排出することができるスカムスキマに関するものである。
【０００２】
【従来の技術】
従来、汚水処理においては、処理槽内水面位置にスカムスキマを傾動可能に配設し、水面に浮遊するスカムを処理槽外へ排出するようにしている。特に中央部にフィードウェルを配設した円形の処理槽においては、処理槽中央部のフィードウェルより処理槽外周部にかけて１本のスカムスキマを傾動可能に配設し、フィードウェルにて仕切られるフィードウェル内と、該フィードウェル外方の処理槽内の双方の水面に浮遊するスカムを、それぞれ同一のスカムスキマ内に一緒になるよう吸い込み、該スカムスキマ内を経て排出するようにしている。
【０００３】
【発明が解決しようとする課題】
ところで、上記従来の傾動式のスカムスキマにおいては、浮遊するスカムを吸引し、排出するスカム吸込口を、円筒形のスカムスキマの外周面に、しかもフィードウェル側、処理槽側の双方とも同じ面の同一直線上に配列されるように形成しているため、このスカムスキマを傾動して水面に浮遊するスカムを吸い込み排出する場合、処理槽側の吸い込みスカム量が、フィードウェル側に比べて多量になると、この吸い込みスカムがスカムスキマ内で処理槽外周側の排出側と、処理槽中央部のフィードウェル側とに分かれて流れるようになり、このためフィードウェル内のスカムが全く排出されなくなるという問題があった。
また、この問題点を解決するために、フィードウェル内と、処理槽内にそれぞれ独立したスカムスキマを配設することも考えられ、これにより効率的にスカムを排出できるが、しかしこの２スカムスキマ方式では装置が複雑となり、かつ高価になるという問題があった。
【０００４】
本発明は、上記従来のスカムスキマの有する問題点に鑑み、中央部にフィードウェルを配設した円形の処理槽においても、簡単な装置で、フィードウェル内に水面に浮遊するスカムをも確実に吸い込み、排出することができるスカムスキマを提供することを目的とする。
【０００５】
【課題を解決するための手段】
この目的を達成するため、本発明のスカムスキマは、処理槽と該処理槽内に配設したフィードウェル間に掛け渡し、浮遊するスカムを吸い込み排出するよう傾動可能に配設したスカムスキマにおいて、フィードウェル内に浮遊するスカムと、処理槽内に浮遊するスカムとを個別的に吸い込み、排出するように、それぞれのスカムの排出経路をスカムスキマ内に分離して形成したことを特徴とする。
【０００６】
この発明においては、フィードウェル内に浮遊するスカムと、処理槽内に浮遊するスカムとを個別的に吸い込み、排出するようにしているから、簡単な構成で、処理槽内に浮遊するスカム量が、フィードウェル内のスカム量に比べて極端に多くても、フィードウェル内に浮遊するスカムを個別的に吸い込み、確実に排出することができる。
【０００７】
そして、フィードウェル内より吸い込むスカムと、処理槽内より吸い込むスカムとを個別的に形成した排出経路より、それぞれ分離して排出するようにしているので、フィードウェル内と処理槽内とで浮遊するスカム量にばらつきがあっても確実に排出することができる。
【０００８】
【発明の実施の形態】
以下、本発明のスカムスキマの実施の形態を図面に基づいて説明する。
【０００９】
図１〜図２に、スカムスキマの参考例を示す。
図において１は、下水処理場等に配設する沈澱槽、曝気槽等の処理槽で、この処理槽１を円形に形成し、その中央部内にフィードウェル２を配置する。そしてこの処理槽水面位置に、処理槽１内を少なくともフィードウェル２より処理槽外周部間を横断するようにスカムスキマ３を配設する。
このスカムカキマ３は、予め定めた角度の一方向へ或いは左右両方向へ傾動するように、スカムスキマ３の下部位置を複数の転動輪３３，３３にて支持し、これによりスカムスキマのスカム吸込口が水面上方位置の待機位置より下方に傾動し、水面位置にきたとき、水面に浮遊するスカムを吸い込むことができるようにする。
【００１０】
また、このスカムスキマ３は、処理槽側端部を処理槽外側へ突出するようにし、処理槽外に配設した排出トラフ４と接続し、スカムスキマ３内に吸い込んだスカムを確実に処理槽１の外部へ排出できるようにするとともに、スカムスキマ３の外周面には、フィードウェル内水面２１に浮遊するスカムを吸い込むスカム吸込口３１と、処理槽内水面１１に浮遊するスカムを吸い込むスカム吸込口３２とを個別的に形成する。
【００１１】
そして、このスカム吸込口３１とスカム吸込口３２とを、スカムスキマ３の外周方向に沿ってその開口位置をずらして形成する。例えば、図２に示すように、スカムカキマ３が待機状態にあるスカム吸込口３１の開口端縁とスカムスキマ３の中心を通る水平線又は水面とのなす角度θ１と、スカム吸込口３２の開口端縁とスカムスキマ３の中心を通る水平線又は水面とのなす角度θ２との関係において、θ２＞θ１となるように角度差をもって形成する。なお、開口幅は、特に限定されるものではないが、同じ幅としても良い。
これにより、スカムスキマ３が待機状態から水面に浮遊するスカムを吸い込む方向に傾動する際、スカム吸込口３１とスカム吸込口３２とが水面位置に達する時間に差を付けられるようになる。
このようにスカム吸込口３１，３２間に角度差を形成することにより、スカム吸込口３１，３２が水面位置に達する際、タイムラグが生じて、フィードウェル内水面２１に浮遊するスカムをまず最初に吸い込み、続いて処理槽内水面１１に浮遊するスカムを吸い込むようになる。
【００１２】
このため、水面に浮遊するスカム量に関係なく、フィードウェル内水面２１に浮遊するスカムが先に吸い込まれ、排出されるようになり、フィードウェル内水面２１に浮遊するスカムも確実に排出されるものとなる。
また、処理槽内水面１１に浮遊するスカム量が多くても、吸い込んだスカムは、従来のように処理槽外周部側と中央部側に分かれてスカムスキマ内を流れても、その量も極めて少量で、次のスカム吸い込み時には、中央部のフィードウェル側に流れたスカムも、フィードウェル内水面のスカム吸い込みと一緒になって処理槽外へ排出されるものとなる。
【００１３】
次に、このスカムスキマの作用について説明する。
汚水を処理槽内へ供給し、曝気処理或いは曝気と嫌気処理とを行う際、処理槽水面位置に浮遊するスカムは、定期的或いは所要量のスカムが浮遊したとき、スカムスキマ３を傾動させると、スカム吸込口３１，３２を水面上方位置から水面位置へ移動する。このとき、スカム吸込口３１，３２が位置をずらして形成されているので、先に水面位置に達するスカム吸込口３１よりフィードウェル内水面２１に浮遊するスカムが先に吸い込まれ、スカムスキマ内を処理槽外側方向へ流下し、排出される。
さらにスカムスキマ３が、予め設定された角度まで傾動することにより、スカム吸込口３１に続いて水面位置に達するスカム吸込口３２により、処理槽内水面１１に浮遊するスカムを吸い込み、スカムスキマ内を経て処理槽外の排出トラフ４内へ排出される。
【００１４】
この場合、フィードウェル内水面に浮遊するスカムと、処理槽内水面に浮遊するスカムとを、吸い込みの時間差が生じているので、浮遊するスカム量が多くても、簡単な構成で順次確実に処理槽外へ排出されるものとなる。
【００１５】
また、図３〜図４に、本発明のスカムスキマの一実施例を示す。
この実施例のスカムスキマ３におけるスカム吸込口３１，３２は、スカムスキマ３の周回方向に角度を設けることなく、一直線上に独立して隣接配設するとともに、スカムスキマ３の内部に、スカム吸込口３１とスカム吸込口３２とから独立して吸い込まれたスカムが、それぞれ分離して、スカムスキマ内を流下するように仕切板３４，３５を配設し、これにより流通経路３Ａ，３Ｂを形成する。
【００１６】
この仕切板３４は、２つのスカム吸込口３１とスカム吸込口３２とから吸い込まれるスカムを分けるもので、スカムスキマ３の軸心に対し交わる方向に輪切状に配設し、また仕切板３５は、スカムスキマ内を上下の独立した２つの流通路を形成するようにするもので、スカムスキマ３の軸心方向に沿って配設し、この仕切板３４，３５によりスカムスキマ内にそれぞれ独立し、上下２段式とした２つの流通経路３Ａ，３Ｂを形成し、処理槽外の排出トラフ４にそれぞれ通ずるようにする。
この場合、スカム吸込口３１から吸い込まれるスカム量と、スカム吸込口３２から吸い込まれるスカム量とは異なる。このため、広い面積の沈澱槽内水面からスカム吸込口３２を経て吸い込まれるスカム量が多いため、上段側の流通経路３Ｂの容積を、流通経路３Ａの容積よりも大となるように設定する。
【００１７】
次に、この実施例のスカムスキマの作用について説明する。
処理槽内に配設されたスカムスキマ３を傾動させることにより、フィードウェル内水面２１に浮遊するスカムはスカム吸込口３１より吸い込まれ、このスカムを下段側の流通経路３Ａ内を経て排出トラフ４に、また処理槽内水面１１に浮遊するスカムは、スカム吸込口３２より吸い込まれ、上段側の流通経路３Ｂ内を経て排出トラフ４に、それぞれ個別に流通するようになる。このため、フィードウェル内水面に浮遊するスカムと、処理槽内水面に浮遊するスカムとを同時に吸い込んでも、また処理槽内水面に浮遊するスカム量が多くても、確実に処理槽外へ排出されるものとなる。
【００１８】
なお、この場合、フィードウェル内水面２１に浮遊するスカム量と、処理槽内水面１１に浮遊するスカム量とは異なるため、予め流通経路３Ａ，３Ｂの断面形の面積を、流通するスカム量に見合ったものとして構成するものとする。
【００１９】
【発明の効果】
本発明のスカムスキマによれば、フィードウェル内に浮遊するスカムと、処理槽内に浮遊するスカムとを個別的に吸い込み排出するようにしているから、簡単な構成で、処理槽内に浮遊するスカム量が多くても、フィードウェル内に浮遊するスカムも確実に吸い込み、排出することができる。
【００２０】
そして、フィードウェル内より吸い込むスカムと、処理槽内より吸い込むスカムとを個別的に形成した排出経路より、それぞれ分離して排出するようにすることにより、フィードウェル内と処理槽内とで浮遊するスカム量にばらつきがあっても確実に排出することができる。
【図面の簡単な説明】
【図１】  スカムスキマの参考例を示し、（Ａ）は処理槽の全形を示す平面図、（Ｂ）は配設したスカムスキマ部を示す平面図である。
【図２】  同スカムスキマのスカム吸込口を示し、（Ａ）はフィードウェル内のスカム吸込口を示す断面図、（Ｂ）は処理槽内のスカム吸込口を示す断面図である。
【図３】  本発明のスカムスキマの一実施例の全体を示す平面図である。
【図４】  同スカムスキマを示し、（Ａ）はフィードウェル内のスカム吸込口を示す断面図、（Ｂ）は処理槽内のスカム吸込口を示す断面図、（Ｃ）は縦断側面図である。
【符号の説明】
１    処理槽
１１  処理槽内水面
２    フィードウェル
２１  フィードウェル内水面
３    スカムスキマ
３Ａ，３Ｂ  流通経路
３１，３２  スカム吸込口
３３  転動輪
３４，３５  仕切板
４    排出トラフ
【図１】
0004271389.tif 000002
【図２】
0004271389.tif 000003
【図３】
0004271389.tif 000004
【図４】
0004271389.tif 000005